(57)【要約】【課題】  化粧品を塗るための化粧品ブラシを提供する。【解決手段】  このブラシは、ロッドと、ロッドの端部に形成されていて、挿入溝を画定しているフェルールと、フェルールに挿入された繊維の束と、を含む。挿入溝は、開口部から閉じた端部まで延びており、対向する側壁、および対向する前後の内壁により画定されている。対向する側壁は、開口部から閉じた端部に行くにつれて、互いに向かってテーパー状になっている。【選択図】  図１
2016198488.tif 000002
【特許請求の範囲】
【請求項１】
化粧品を塗るための化粧品ブラシにおいて、
ロッドと、
前記ロッドの端部に形成されていて、挿入溝を画定するフェルールと、
前記フェルールに挿入された繊維の束と、
を含み、
前記挿入溝は、開口部から閉じた端部まで延びており、対向する側壁、および対向する前後の内壁により画定されており、
前記対向する側壁は、前記開口部から前記閉じた端部に行くにつれて、互いに向かってテーパー状になっている、化粧品ブラシ。
【請求項２】
請求項１に記載の化粧品ブラシにおいて、
前記前後の内壁は、互いに平行に延びている、化粧品ブラシ。
【請求項３】
請求項１に記載の化粧品ブラシにおいて、
前記挿入溝は、矩形の断面を有する、化粧品ブラシ。
【請求項４】
請求項１に記載の化粧品ブラシにおいて、
前記繊維の束は、前記繊維が前記挿入溝の構成に基づいて扇形に広がるように構成されている、化粧品ブラシ。
【請求項５】
請求項１に記載の化粧品ブラシにおいて、
前記繊維の自由端部は、端部領域を画定し、
前記端部領域は、線状の構成を有する、化粧品ブラシ。
【請求項６】
請求項５に記載の化粧品ブラシにおいて、
前記線状の構成は、前記ロッドに対し垂直に延びている、化粧品ブラシ。
【請求項７】
請求項１に記載の化粧品ブラシにおいて、
前記繊維の自由端部は、端部領域を画定し、
前記端部領域は、凸状の弓形構成を有する、化粧品ブラシ。
【請求項８】
請求項１に記載の化粧品ブラシにおいて、
前記繊維の自由端部は、端部領域を画定し、
前記端部領域は、凹状の弓形構成を有する、化粧品ブラシ。
【請求項９】
請求項１に記載の化粧品ブラシにおいて、
前記フェルールは、一定の外側構成を有し、
前記フェルールの外表面と前記挿入溝の対応する側壁との間の厚さは、前記開口部の近くの厚さよりも、前記閉じた端部の近くのほうが厚い、化粧品ブラシ。
【請求項１０】
請求項９に記載の化粧品ブラシにおいて、
固定部品が、前記繊維の束、および前記閉じた端部の近くの前記フェルールの少なくとも一部を通って延びている、化粧品ブラシ。
【請求項１１】
請求項１０に記載の化粧品ブラシにおいて、
前記固定部品は、ステープルである、化粧品ブラシ。
【請求項１２】
請求項１０に記載の化粧品ブラシにおいて、
前記固定部品は、前記フェルールに形成された戻り止めである、化粧品ブラシ。
【請求項１３】
請求項１０に記載の化粧品ブラシにおいて、
前記固定部品は、前記挿入溝内部に位置付けられた横木である、化粧品ブラシ。
【請求項１４】
請求項１に記載の化粧品ブラシにおいて、
各側壁のテーパー角度は、前記開口部から前記閉じた端部まで一定である、化粧品ブラシ。
【請求項１５】
化粧品ブラシを形成する方法において、
挿入溝を内部に画定するフェルールを備えたロッドを形成することであって、前記挿入溝は、開口部から閉じた端部まで延びており、対向する側壁、および対向する前後の内壁により画定されており、前記対向する側壁は、前記開口部から前記閉じた端部に行くにつれて、互いに向かってテーパー状になっている、ことと、
繊維の自由端部が前記開口部から延び、前記繊維が前記挿入溝の構成に対応する扇形状を自由に形成するように、繊維の束を前記挿入溝の中に位置付けることと、
前記繊維の束を前記挿入溝内部で固定することと、
を含む、方法。
【発明の詳細な説明】
【開示の内容】
【０００１】
〔発明の分野〕
本発明は、化粧品ブラシ、およびその製造方法に関する。化粧品ブラシは、扇形ブラシの構成を定めるテーパー状の側壁を備えた、繊維の束の挿入溝を画定するフェルールを含む。
【０００２】
〔発明の背景〕
口紅、リップグロス、マスカラ、アイライナー、およびマニキュアといった化粧品を塗るのに使用される、一般的な形態の化粧品ブラシは、繊維の束を保持するブラシハンドルと、化粧品容器にねじで連結される、ハンドルの端部にあるキャップとを含み、繊維の束は、携帯性を良好にするため化粧品容器の中に収納され、化粧品に浸されており、単にキャップを外すことにより、毛に付着した化粧品を塗るために、使用され得る。
【０００３】
この形態の化粧品ブラシは、ハンドルの端部に挿入されて円筒形に形成された繊維の束と、化粧品容器にねじで連結されるキャップと、を有するので、繊維の束は、より高い粘度を通常有する液体化粧品の抵抗により、キャップと共に回転されると化粧品の中でねじれる。さらに、繊維の束は、円筒形に形成されると、弱い復元力を有し、適切な形状に戻って化粧品を均一に塗るのが難しくなり、結果として、使用者に不都合を生じる。
【０００４】
さらに、化粧品ブラシを使用する化粧には、化粧品を一定の厚さおよび幅で塗ることが重要であるが、円筒形状を有する繊維の束は、それらがねじれていなくても、一定の厚さおよび幅で化粧品を塗るのに不都合である。
【０００５】
〔発明の概要〕
少なくとも１つの実施形態では、本発明は、化粧品を塗るための化粧品ブラシを提供する。このブラシは、ロッドと、ロッドの端部に形成され、挿入溝を画定するフェルールと、フェルールに挿入された繊維の束と、を含む。挿入溝は、開口部から閉じた端部まで延びており、対向する側壁と対向する前後の内壁とによって画定されている。対向する側壁は、開口部から閉じた端部に行くにつれて、互いに向かってテーパー状になっている。
【０００６】
少なくとも１つの実施形態では、繊維の束は、繊維が挿入溝の構成に基づいて扇形に広がるように構成されている。
【０００７】
少なくとも１つの実施形態では、繊維の自由端部は、端部領域を画定し、この端部領域は、ロッドに対して垂直に延びる線状の構成を有する。
【０００８】
少なくとも１つの実施形態では、繊維の自由端部は、端部領域を画定し、この端部領域は、凸状の弓形構成を有する。
【０００９】
少なくとも１つの実施形態では、繊維の自由端部は、端部領域を画定し、この端部領域は、凹状の弓形構成を有する。
【００１０】
少なくとも１つの実施形態では、各側壁のテーパー角度は、開口部から閉じた端部まで一定である。
【００１１】
本明細書に組み込まれ、この明細書の一部を構成する、添付図面は、本発明の現在好適な実施形態を説明するものであり、前述した一般的な説明、および以下に記載する詳細な説明と共に、本発明の特徴を説明するのに役立つものである。
【００１２】
〔発明の詳細な説明〕
図面では、全体にわたって、同様の参照符号は同様の要素を示している。ある用語は、本明細書中では便宜上使用されているにすぎず、本発明に対する制限として理解されるものではない。以下では、本発明の好適な実施形態を説明する。しかしながら、この開示に基づいて、本発明は、本明細書に記載する好適な実施形態により制限されるものではないことを、理解されたい。
【００１３】
図１〜図５を参照して、本発明のある実施形態による化粧品ブラシ１０を説明する。化粧品ブラシ１０は、ロッド１２と、繊維のためのフェルール１１と、繊維の束３０と、固定部品１６と、を含む。化粧品ブラシは、ねじ山を備えた化粧品容器５０と係合し、ロッド１２および繊維の束３０は化粧品容器５０の中に収納されて携帯性を改善し、容器キャップ１１を単に切り離すことによって化粧品を塗ることを可能にする。これは、繊維の束が化粧品の中に漬けられて、化粧品でコーティングされているためである。
【００１４】
例示的な実施形態では、ロッド１２は、化粧品容器５０の中に収納されてその容器内の化粧品でコーティングされるのにふさわしい長さで、射出成形によりプラスチック用樹脂から形成される。ロッド１２のヘッド部分は、容器キャップ１１の内側に圧入されるように幅広く、ロッド１２の下方部分は、一体的に形成されたフェルール１４を備えている。フェルール１４は、繊維の束３０の端部を受容するように構成された挿入溝２０を含み、繊維３２の自由端部は、ロッド１２から離れるほうに延びている。例示された実施形態では、固定部品１６は、ステープルの形態であり、このステープルは、ロッド１２および繊維の束３０を通り抜けて、束を挿入溝２０内部に固定する。この実施形態ではステープルが固定要素として示されているが、図８は、代替的なブラシ１０’を示しており、ここでは、ロッド１２’が、固定部品１６’として役立つ戻り止めを含む。さらに、挿入溝２０の内壁２４に係合するように構成された端部４１を備える横木である、二次固定部品４０が、使用されてもよい。すべての他の点において、ブラシ１０’は、ブラシ１０について記載したのと同じである。例示したもの以外の他の固定部品を用いてもよい。
【００１５】
化粧品容器５０内の化粧品でコーティングされた、繊維の束３０は、約１０００フィラメントの原料繊維３２を含み、これらは、広がった形で保持され、ポリアミドで作られており、直径が約０．０５〜０．０９ｍｍで形成されている。さらに好ましくは、原料繊維３２の数は、約９８０〜１０２０本でなければならない。この原料繊維の範囲は、分離なしの、液体状態の化粧品の良好な付着特性、および、化粧テスト（make-up tests）での優れた結果または反応をもたらす。
【００１６】
図３〜図５を参照すると、射出成形によってロッド１２と一体的に形成されるのが好ましい、フェルール１４は、広がった形態で繊維の束３０を保持する。繊維の束の挿入溝２０は、矩形の断面を備えて形成され、その横方向幅Ｗは、長さ方向幅Ｗ’より長く、このため、繊維の束３０の形状は、平坦で広い形態に保たれて、化粧品を均一に塗布し、その消費を減らすことができる。繊維の束の挿入溝２０の例示された断面形状は、矩形であるが、この形状は矩形に限定されず、必要に応じて、多角形、円形、または任意の他の形態であってよい。
【００１７】
挿入溝２０は、ロッド１２内において開口部２３から閉じた端部２１まで延びている。対向する側壁２４は、開口部２３から閉じた端部２１に行くにつれて、内側へとテーパー状になっている。好ましくは、テーパー角度は、開口部２３から閉じた端部２１まで一定であるが、側壁２４のさまざまな部分が、さまざまな角度で傾斜していてよいことが、理解される。例示された実施形態では、挿入溝２０の前後の内壁２５（図４では、そのうちの一方のみが例示されている）が、互いに平行に延びているが、前後の内壁２５のうちの一方または両方が、開口部２３に向かうにつれて互いに向かってテーパー状になるか、あるいは、開口部２３に向かうにつれて互いから離れてテーパー状になってもよいことが企図されている。
【００１８】
テーパー状の側壁２４があるので、挿入溝２０を囲むフェルール１４は、閉じた端部２１の近くの厚さＴが、開口部２３の近くの厚さｔよりも厚い。より厚い厚さＴにより、固定部品１６を受容するための、より頑丈な構造がもたらされる。さらに、閉じた端部のほうが、より狭いので、固定部品１６の周りにより多くの材料があり、より効果的に接続できる。
【００１９】
テーパー状の側壁２４の角度は、繊維の束３０の毛３２の所望の扇形の広がり（fanning）を画定するように選択され得る。毛３２は、側壁２４に沿って延び、正確な扇形を形成することができる。例示された実施形態では、毛３２は、繊維の束３０の端部領域３４が線状の構成を有するように、刈り込まれるか、または形成される。線状の端部領域３４は、例示されたように、ロッド１２に対し垂直に延びてよく、あるいは、扇の片側がもう一方の側より長くなるように、別様に角度をつけられてもよい。図６および図７は、他の例示的な端部領域３４’、３４”の構成を有する、繊維の束３０’、３０”を示している。図６に示す実施形態では、毛３２’は、端部領域３４’が凸状の弓形構成を有するように構成されている。図７に示す実施形態では、毛３２”は、端部領域３４”が凹状の弓形構成を有するように構成されている。これらの例示的な実施形態は、例証のためのものであるが、繊維の束３０の端部領域３４が任意の所望の構成を有し得ることが、理解される。
【００２０】
本発明のこれらの利点および他の利点は、前述した明細から当業者には明らかとなるであろう。したがって、本発明の広範な概念を逸脱せずに、前述した実施形態に対し変更または改変を行い得ることが、当業者には理解されるであろう。よって、この発明は、本明細書に記載する特定の実施形態に制限されず、特許請求の範囲で定めるような、本発明の範囲および趣旨に含まれる、すべての変更および改変を含むことが意図されていることを、理解されたい。
【００２１】
〔実施の態様〕
（１）  化粧品を塗るための化粧品ブラシにおいて、
ロッドと、
前記ロッドの端部に形成されていて、挿入溝を画定するフェルールと、
前記フェルールに挿入された繊維の束と、
を含み、
前記挿入溝は、開口部から閉じた端部まで延びており、対向する側壁、および対向する前後の内壁により画定されており、
前記対向する側壁は、前記開口部から前記閉じた端部に行くにつれて、互いに向かってテーパー状になっている、化粧品ブラシ。
（２）  実施態様１に記載の化粧品ブラシにおいて、
前記前後の内壁は、互いに平行に延びている、化粧品ブラシ。
（３）  実施態様１に記載の化粧品ブラシにおいて、
前記挿入溝は、矩形の断面を有する、化粧品ブラシ。
（４）  実施態様１に記載の化粧品ブラシにおいて、
前記繊維の束は、前記繊維が前記挿入溝の構成に基づいて扇形に広がるように構成されている、化粧品ブラシ。
（５）  実施態様１に記載の化粧品ブラシにおいて、
前記繊維の自由端部は、端部領域を画定し、
前記端部領域は、線状の構成を有する、化粧品ブラシ。
【００２２】
（６）  実施態様５に記載の化粧品ブラシにおいて、
前記線状の構成は、前記ロッドに対し垂直に延びている、化粧品ブラシ。
（７）  実施態様１に記載の化粧品ブラシにおいて、
前記繊維の自由端部は、端部領域を画定し、
前記端部領域は、凸状の弓形構成を有する、化粧品ブラシ。
（８）  実施態様１に記載の化粧品ブラシにおいて、
前記繊維の自由端部は、端部領域を画定し、
前記端部領域は、凹状の弓形構成を有する、化粧品ブラシ。
（９）  実施態様１に記載の化粧品ブラシにおいて、
前記フェルールは、一定の外側構成を有し、
前記フェルールの外表面と前記挿入溝の対応する側壁との間の厚さは、前記開口部の近くの厚さよりも、前記閉じた端部の近くのほうが厚い、化粧品ブラシ。
（１０）  実施態様９に記載の化粧品ブラシにおいて、
固定部品が、前記繊維の束、および前記閉じた端部の近くの前記フェルールの少なくとも一部を通って延びている、化粧品ブラシ。
【００２３】
（１１）  実施態様１０に記載の化粧品ブラシにおいて、
前記固定部品は、ステープルである、化粧品ブラシ。
（１２）  実施態様１０に記載の化粧品ブラシにおいて、
前記固定部品は、前記フェルールに形成された戻り止めである、化粧品ブラシ。
（１３）  実施態様１０に記載の化粧品ブラシにおいて、
前記固定部品は、前記挿入溝内部に位置付けられた横木である、化粧品ブラシ。
（１４）  実施態様１に記載の化粧品ブラシにおいて、
各側壁のテーパー角度は、前記開口部から前記閉じた端部まで一定である、化粧品ブラシ。
（１５）  化粧品ブラシを形成する方法において、
挿入溝を内部に画定するフェルールを備えたロッドを形成することであって、前記挿入溝は、開口部から閉じた端部まで延びており、対向する側壁、および対向する前後の内壁により画定されており、前記対向する側壁は、前記開口部から前記閉じた端部に行くにつれて、互いに向かってテーパー状になっている、ことと、
繊維の自由端部が前記開口部から延び、前記繊維が前記挿入溝の構成に対応する扇形状を自由に形成するように、繊維の束を前記挿入溝の中に位置付けることと、
前記繊維の束を前記挿入溝内部で固定することと、
を含む、方法。
【図面の簡単な説明】
【００２４】
【図１】化粧品容器と連結された、本発明のある実施形態による化粧品ブラシの斜視図である。
【図２】化粧品容器から切り離された、図１の化粧品ブラシの斜視図である。
【図３】化粧品容器から切り離された、図１の化粧品ブラシの底面斜視図である。
【図４】図２の線４‐４に沿った断面図である。
【図５】挿入溝内に位置付けられた例示的な繊維の束を示す、図４と同様の断面図である。
【図６】挿入溝内に位置付けられた追加の例示的な繊維の束を示す、図５と同様の図である。
【図７】挿入溝内に位置付けられた追加の例示的な繊維の束を示す、図５と同様の図である。
【図８】化粧品容器から切り離された、本発明の別の実施形態による化粧品ブラシの斜視図である。
【図１】
2016198488.tif 000003
【図２】
2016198488.tif 000004
【図３】
2016198488.tif 000005
【図４】
2016198488.tif 000006
【図５】
2016198488.tif 000007
【図６】
2016198488.tif 000008
【図７】
2016198488.tif 000009
【図８】
2016198488.tif 000010
【外国語明細書】
2016198488000001.pdf